(57)【要約】【課題】従来のペットボトルでは、蓋を開ける場合、蓋の下部の縁が蓋から分離されてペットボトル側に残ってしまう構造が一般的であった。このとき分離された蓋の縁部はペットボトル側にくっついたままで取り外すことが困難であるため、再生利用の際に、ペットボトルの容器部と蓋縁部とを分離しなければならず、大変作業性が悪いものであった。【解決手段】  本発明の液体容器は、上記従来の課題を解決するために、容器部と蓋部とから構成される液体容器において、蓋部は蓋本体部と蓋縁部とがねじ切り可能な構造で接合されると共にその内面にそれぞれ相違う方向の螺旋状ねじ部を設け、容器部の開口部外周面の蓋本体部と蓋縁部が各々勘合する部位に、蓋本体部と蓋縁部の内面に設けられた相違う方向の螺旋状ねじ部にそれぞれ対応する様、しゅう動可能に設けられ、勘合する蓋本体部用ねじ部と蓋縁部用ねじ部とを設けたものである。【選択図】図１
2008155947.tif 000002
【特許請求の範囲】
【請求項１】
容器部と蓋部とから構成される液体容器において、蓋部は蓋本体部と蓋縁部とがねじ切り可能な構造で接合されると共にその内面にそれぞれ相違う方向の螺旋状ねじ部を設け、容器部の開口部外周面の蓋本体部と蓋縁部が各々勘合する部位に、蓋本体部と蓋縁部の内面に設けられた相違う方向の螺旋状ねじ部にそれぞれ対応する様に設けられ、勘合する蓋本体部用ねじ部と蓋縁部用ねじ部とを設けたことを特徴とする液体容器。
【請求項２】
容器部と蓋部とから構成される液体容器において、蓋部は円筒形内面に螺旋状のねじ部を設けた蓋本体部と、円弧状に分割され蓋本体部開口面にリング形状にねじ切り可能な構造で接合された蓋縁部とを有すると共に、容器部の開口部外周面の蓋本体部が勘合する部位に、蓋本体部内面に設けられた螺旋状ねじ部に対応する様に設けられ、勘合する蓋本体部用ねじ部を設けると共に、蓋縁部と容器部との配置形状を凹凸状に設けたことを特徴とする液体容器。
【請求項３】
蓋縁部は、折り曲げ可能な構造で蓋本体部の開口部円周部に設けられたことを特徴とする請求項２記載の液体容器。
【請求項４】
蓋縁部は、円弧状にねじ切り可能な様に構成されたことを特徴とする請求項２および３記載の液体容器。
【請求項５】
容器部はＰＥＴ製、蓋部はプラスチック製であることを特徴とする請求項１から４記載の液体容器。
【発明の詳細な説明】
【技術分野】
【０００１】
本発明は、ＰＥＴボトルのリサイクル時における、蓋の取り外し構造に関するものである。
【背景技術】
【０００２】
従来のペットボトルは、内容物を飲みたいときに蓋を開ける場合、蓋の下部の縁が蓋から分離されてペットボトル側に残ってしまう構造が一般的であった。また、このとき分離された蓋の縁部はペットボトル側にくっついたままで取り外すことが困難であるため、再生利用の際に、ペットボトルの容器部と蓋縁部とを分離しなければならず、大変作業性が悪いものであった。また、上記工程を経ずに再利用を行った場合、異物の混入が多く純度の低い材料となってしまい、品質を著しく低減させるものでり、大きな課題となっていました。
【０００３】
ペットボトル（ＰＥＴ）の蓋の構造に関しては、機密性を高めるための構造として、パッキンやテーパーによる方法などが考案されていた。
【特許文献１】特願平１０−３５７３８号公報
【発明の開示】
【発明が解決しようとする課題】
【０００４】
解決しようとする問題点は、ペットボトルの蓋取り付け構造の改善によって、リサイクル時における再生材料の種類ごとの分離精度向上による品質向上に関するものである。
【課題を解決するための手段】
【０００５】
本発明の液体容器は、上記従来の課題を解決するために、容器部と蓋部とから構成される液体容器において、蓋部は蓋本体部と蓋縁部とがねじ切り可能な構造で接合されると共にその内面にそれぞれ相違う方向の螺旋状ねじ部を設け、容器部の開口部外周面の蓋本体部と蓋縁部が各々勘合する部位に、蓋本体部と蓋縁部の内面に設けられた相違う方向の螺旋状ねじ部にそれぞれ対応する様、しゅう動可能に設けられ、勘合する蓋本体部用ねじ部と蓋縁部用ねじ部とを設けたものである。
【０００６】
また、本発明の別の液体容器は、上記従来の課題を解決するために、容器部と蓋部とから構成される液体容器において、蓋部は円筒形内面に螺旋状のねじ部を設けた蓋本体部と、円弧状に分割され蓋本体部開口面にリング形状にねじ切り可能な構造で接合された蓋縁部とを有すると共に、容器部の開口部外周面の蓋本体部が勘合する部位に、蓋本体部内面に設けられた螺旋状ねじ部に対応する様、しゅう動可能に設けられ、勘合する蓋本体部用ねじ部を設けると共に、蓋縁部と容器部との配置形状を凹凸状に設けたものである。
【０００７】
また、本発明の液体容器は、上記従来の課題を解決するために、上記別の液体容器の構成において、蓋縁部は、折り曲げ可能な構造で蓋本体部の開口部円周部に設けられたものである。
また、本発明の液体容器は、上記従来の課題を解決するために、上記別の液体容器の構成において、蓋縁部は、円弧状にねじ切り可能な様に構成されたものである。
また、本発明の液体容器は、上記従来の課題を解決するために、上記の全ての液体容器の構成において、容器部はＰＥＴ製、蓋部はプラスチック製であることを特徴としたものである。
【発明の効果】
【０００８】
本発明の液体容器によれば、液体容器の蓋を空けるまでの間は、蓋本体部と蓋縁部に互いに逆向きに設けられたねじ切りのため、容器開口部は蓋本体の底部に密着した状態で保持されている。このため、蓋本体部をまわすことで、蓋本体部と蓋縁部には、相違う方向への力が作用し、そのため、ねじ切り可能な構造にて一体であった蓋本体と蓋縁部は分離され、分離された蓋本体は、容器開口部に設けられたらせん状のねじ溝に沿って回転するとともに容器から分離され、容器内の飲料物などを飲むことが出来る。またその際、蓋縁部は、容器部と一体の状態であるが、蓋本体部をねじった向きと逆向きに回転を加えることで、容易に蓋縁部を容器部から取り外すことができる。その際、蓋縁部内径は容器部の蓋本体部用に設けられたねじ凸部より大きく構成することで、分離しやすい構造となる。またその際、容器部に設けられた蓋本体用の凸ねじ間のピッチを蓋縁部の容器部と接する面の幅に比べて大きく構成することでも、分離しやすい構造となる。
【０００９】
また、本発明の別の液体容器によれば、液体容器の蓋を空けるまでの保存状態においては、蓋縁部と容器部とで凹凸形状に構成された固定部により蓋本体の底部（天上部内面）と容器部の開口部は互いに密着した状態で保持されている。液体容器の蓋を開けるために蓋部の蓋本体部と容器部との間に円周方向のねじり力を加えると、蓋本体部はその内側と容器部の開口部の外周部との間に設けられたらせん状のねじ部に沿ってねじ部の軸方向へ移動を開始する。すると、ねじ切り可能なように蓋本体に固定されている蓋縁部は、その時の軸力やねじり力によってねじ切り可能部の一部が分離されることで、容器部と蓋縁部との間で構成されていた凹凸による保持形状がくずれて解除されることにより、蓋本体部は、更に回転しながら軸方向への移動を続けることとなり、その結果、容易に容器部の開口部から完全に分離される。このとき、蓋縁部は蓋本体部と繋がった状態であるため、容器部に蓋部が残らない。
【００１０】
また更に、本発明の別の液体容器によれば、上記別の液体容器の構成において、蓋本体部と蓋縁部との間の連結部が、回転によるねじり力や軸力によって変形することで、蓋縁部の内径部の凸部傾斜部に容器部の凸部から圧力がかかり、その力によって蓋縁部が容器部との凹凸形状を構成している相似的に円形をなす内径部が拡大もしくは開放されることで、蓋部が容器部から完全に分離されるものである。
また更に、本発明の別の液体容器によれば、上記別の液体容器の構成において、蓋本体の回転にともなう軸力やねじり力により、円弧状にねじ切り可能な様に構成された蓋縁部が円弧状にねじ切れることで、蓋縁部が容器部とともに構成していた凹凸による保持構造が緩み、蓋部は容器部から分離されるものである。
【発明を実施するための最良の形態】
【００１１】
以下に、本発明を実施するための最良の形態について、図１と図２を用いて説明する。
図１は、本発明の液体容器の蓋本体部と蓋縁部の取り外し概要図であり、図２は、本発明の液体容器の蓋本体部と蓋縁部の断面形状図である。
容器部２と蓋部１とから構成される液体容器において、蓋部１は底つきの円筒形状である蓋本体部３とリング状である蓋縁部４とがねじ切り可能な構造で接合されると共にその内面にそれぞれ相違う方向の螺旋状ねじ部３１、３２を設け、容器部の開口部外周面の蓋本体部と蓋縁部が各々勘合する部位に、蓋本体部３と蓋縁部４の内面に設けられた相違う方向の螺旋状ねじ部である、蓋本体部ねじ部３１と蓋縁部ねじ部３２にそれぞれ対応する様、しゅう動可能に設けられ、勘合する蓋本体部用ねじ部５と蓋縁部用ねじ部６とを設けたものである。
この構成において、蓋縁部４の内径に設けられたねじ部３２の内径を容器部の開口部に設けられた蓋本体部用ねじ部５の外径と比較して大きめに構成するなどとすることで、蓋縁部４を容器部からより容易に取り外すことが可能となる。この条件を満たさなくても、上記内径と外径の大きさが同程度であれば、蓋縁部４の厚みに比して大きく構成されているらせん状のねじ部の隙間や蓋縁部４などの構成素材の柔軟性のため、蓋縁部４と容器部２とを分離することは可能である。
【００１２】
また、容器部の開口部のキャップ近傍付近の構造を従来例の図５にて示すような断面形状をなす従来型の容器を用いた場合においても、キャップ部を以下のような構成とすることで同様の効果を実現できることを図２にかわり図３と図５を用いて説明する。
すなわち、容器部２と蓋部１とから構成される液体容器において、蓋部１は円筒形内面に螺旋状のねじ部３１を設けた蓋本体部３と、円弧状に分割され蓋本体部開口面にリング形状に折り曲げ可能な構造で接合して配列された蓋縁部９とを有すると共に、容器部の開口部外周面の蓋本体部が勘合する部位に、蓋本体部内面に設けられた螺旋状ねじ部３１に対応する様、しゅう動可能に設けられ、勘合する蓋本体部用ねじ部５を設けると共に、蓋縁部９と容器部２との配置形状を凹凸状１５の様に設けたものである。
【００１３】
また、容器部に構成された蓋縁部１４を保持するための凹凸部１５の凸部外周部に任意の切り欠き部を設けるとともに、蓋縁部１４を容器部に保持するための凹凸部の内周部に任意の切り欠きを設けた構造とすることで、お互いの切り欠き部を用いて蓋縁部１４と容器部２とを分離することも出来る。
【産業上の利用可能性】
【００１４】
ＰＥＴ製の飲料ボトル用の液体容器に適用できる。  
【図面の簡単な説明】
【００１５】
【図１】本発明の液体容器の蓋本体部と蓋縁部の取り外し概要図
【図２】Ａ−Ａ‘断面（本発明の液体容器の蓋本体部と蓋縁部の断面形状図）
【図３】本発明の別の液体容器の蓋本体部と蓋縁部の動きを示す断面形状図
【図４】従来の液体容器の蓋本体部の取り外し概要図
【図５】Ｂ−Ｂ’断面（従来の液体容器の開口部断面図）
【符号の説明】
【００１６】
１    蓋部
２    容器部
３    蓋本体部
４    蓋縁部
５    容器部の蓋本体部用ねじ部
６    容器部の蓋縁部用ねじ部
７    蓋本体の回転方向例
８    蓋縁部の回転方向例
９    蓋縁部２
１１  従来例の蓋部
１２  従来例の容器部
１３  従来例の蓋本体部
１４  従来例の蓋縁部
１５  凹凸部
３１  蓋本体部ねじ部
３２  蓋縁部ねじ部
【図１】
2008155947.tif 000003
【図２】
2008155947.tif 000004
【図３】
2008155947.tif 000005
【図４】
2008155947.tif 000006
【図５】
2008155947.tif 000007